(57)【特許請求の範囲】
【請求項１】
冷蔵庫の貯蔵室の開閉扉の背面に設けられたドアポケット内に設置されるとともに鶏卵を保持する孔部を複数開口した鶏卵収納容器において、設置面に対して高さの異なる上段部及び下段部を短手方向に並設し、前記上段部及び前記下段部の長手方向にそれぞれ複数の前記孔部を並設し、前記下段部から突出して前記上段部と同じ高さに形成されるリブを設けたことを特徴とする鶏卵収納容器。
【請求項２】
前記上段部の隣接する前記孔部の間に前記下段部の前記孔部が配されるとともに、前記上段部と前記下段部とを連接する垂直面が平面視波形状に湾曲することを特徴とする請求項１に記載の鶏卵収納容器。
【請求項３】
前記上段部の前記孔部を短手方向に２列配するとともに各列の長手方向に５個づつ設け、前記下段部の前記孔部を長手方向に６個設けたことを特徴とする請求項１又は請求項２に記載の鶏卵収納容器。
【請求項４】
前記下段部が前記上段部の長手方向の側方に延設した延設部を有し、前記延設部に前記孔部よりも小径のチューブ容器入り薬味を挿通して立てる小孔を開口したことを特徴とする請求項３に記載の鶏卵収納容器。
【請求項５】
冷蔵庫の貯蔵室の開閉扉の背面に設けられたドアポケット内に設置されるとともに鶏卵を保持する孔部を複数開口した鶏卵収納容器において、設置面に対して高さの異なる上段部及び下段部を短手方向に並設し、前記上段部及び前記下段部の長手方向にそれぞれ複数の前記孔部を並設し、前記上段部と前記下段部との境界の裏面には設置面に当接する支持リブを突設し、前記支持リブは前記下段部の前記孔部に対応した位置に下面を開放した切欠き部を有することを特徴とする鶏卵収納容器。
【請求項６】
請求項１〜請求項５のいずれかに記載の鶏卵収納容器を貯蔵室の開閉扉の背面に設けたドアポケット内に設置したことを特徴とする冷蔵庫。
【発明の詳細な説明】
【技術分野】
【０００１】
本発明は、鶏卵を保持する鶏卵収納容器に関する。また本発明は、開閉扉の背面側に鶏卵収納容器を備えた冷蔵庫に関する。
【背景技術】
【０００２】
従来の鶏卵収納容器を供える冷蔵庫は特許文献１に開示される。冷蔵庫の開閉扉の背面にはドアポケットが設けられる。ドアポケットには、鶏卵、牛乳パック、調味料等をそれらの形状に適合した場所に収納する。
【０００３】
図９は従来の鶏卵収納容器２０を示す上面図である。鶏卵収納容器２０はドアポケット内に設置され、短手方向及び長手方向に複数の孔部５１が並設されている。孔部５１に鶏卵を挿入して鶏卵を保持することができる。
【先行技術文献】
【特許文献】
【０００４】
【特許文献１】特開２００８−１６４２８３号公報
【発明の概要】
【発明が解決しようとする課題】
【０００５】
しかしながら、上記従来の鶏卵収納容器２０を冷蔵庫の開閉扉上部に設けると使用者の身長が低い場合等に奥側に置かれた鶏卵の出し入れが困難となる。したがって、冷蔵庫の利便性が悪くなる問題があった。
【０００６】
本発明は、容易に鶏卵を出し入れできる鶏卵収納容器及びそれを用いた冷蔵庫を提供することを目的とする。
【課題を解決するための手段】
【０００７】
上記目的を達成するために本発明は、冷蔵庫の貯蔵室の開閉扉の背面に設けられたドアポケット内に設置されるとともに鶏卵を保持する孔部を複数開口した鶏卵収納容器において、設置面に対して高さの異なる上段部及び下段部を短手方向に並設し、前記上段部及び前記下段部の長手方向にそれぞれ複数の前記孔部を並設したことを特徴としている。この構成によると、鶏卵は上段部及び下段部に開口する孔部に挿通して保持される。奥側に上段部が配されて手前側に下段部が配されるように鶏卵収納容器をドアポケット内に設置すると、奥側の鶏卵が手前の鶏卵よりも上方に配される。
【０００８】
また本発明は、上記構成の鶏卵収納容器において、前記下段部から突出して前記上段部と同じ高さに形成されるリブを設けたことを特徴としている。この構成によると、鶏卵収納容器を反転させて上段部を設置面に当接させたとき、リブが設置面に当接して下段部を支持する。
【０００９】
また本発明は、上記構成の鶏卵収納容器において、前記上段部の隣接する前記孔部の間に前記下段部の前記孔部が配されるとともに、前記上段部と前記下段部とを連接する垂直面が平面視波形状に湾曲することを特徴としている。
【００１０】
また本発明は、上記構成の鶏卵収納容器において、前記上段部の前記孔部を短手方向に２列配するとともに各列の長手方向に５個づつ設け、前記下段部の前記孔部を長手方向に６個設けたことを特徴としている。
【００１１】
また本発明は、上記構成の鶏卵収納容器において、前記下段部が前記上段部の長手方向の側方に延設した延設部を有し、前記延設部に前記孔部よりも小径のチューブ容器入り薬味を挿通して立てる小孔を開口したことを特徴としている。
【００１２】
また本発明は、上記構成の鶏卵収納容器において、前記上段部と前記下段部との境界の裏面には設置面に当接する支持リブを突設し、前記支持リブは前記下段部の前記孔部に対応した位置に下面を開放した切欠き部を有することを特徴としている。この構成によると、支持リブが設置面と当接して下段部を支持する。また、鶏卵収納容器の上下を反転して設置すると、下段部に保持した鶏卵を取り出す際に切欠き部によって手指と支持リブとの当接が回避される。
【００１３】
また本発明は、上記構成の鶏卵収納容器を貯蔵室の開閉扉の背面に設けたドアポケット内に設置したことを特徴としている。
【発明の効果】
【００１４】
本発明によると、鶏卵収納容器の短手方向に上段部及び下段部が並設されているため、ドアポケット内の奥側に上段部を配して手前側に下段部を配すことにより、下段部より高い位置にある上段部へ鶏卵を容易に出し入れすることができる。
【図面の簡単な説明】
【００１５】
【図１】本発明の実施形態に係る冷蔵庫を示す正面図
【図２】本発明の実施形態に係る冷蔵庫を示す側面図
【図３】本発明の実施形態に係る鶏卵収納容器の斜視図
【図４】本発明の実施形態に係る鶏卵収納容器の上面図
【図５】本発明の実施形態に係る鶏卵収納容器の側面図
【図６】本発明の実施形態に係る鶏卵収納容器の斜視図
【図７】本発明の実施形態に係る鶏卵収納容器の側面図
【図８】本発明の実施形態に係る鶏卵収納容器の側面図
【図９】従来の冷蔵庫に係る鶏卵収納容器の上面図
【発明を実施するための形態】
【００１６】
以下に本発明の実施形態を図面を参照して説明する。図１は本実施形態に係る冷蔵庫１を示す正面図である。図２は本実施形態に係る冷蔵庫１を示す側面図であり、冷蔵室扉１３が開いた状態を示している。
【００１７】
冷蔵庫１は前面が開口する断熱箱体１０を備える。断熱箱体１０の外面は外箱１１により形成され、背面は内箱（不図示）により形成される。外箱１１は鉄板等の金属板から成り前面が開口した箱型に形成されている。内箱は樹脂成形品から成り、前面を開口した複数の冷却室が区分けして形成されている。外箱１１と内箱との間には発泡ウレタン等の発泡断熱材が充填されている。
【００１８】
断熱箱体１０の上部には冷蔵室３が配され、冷蔵室３の下方には冷凍室４、６が配される。冷凍室６の下方には野菜室７が配され、冷凍室４の側方には製氷室５が配される。冷蔵室３の前面は冷蔵室扉（開閉扉）１３により開閉される。同様に各冷却室には開閉する開閉扉がそれぞれ設けられている。冷蔵室扉１３の背面にはドアポケット１４が設けられており、ドアポケット１４の内部には鶏卵収納容器３０が収納されている。鶏卵収納容器３０には鶏卵Ｅが保持される。
【００１９】
図３は鶏卵収納容器３０の斜視図であり、図４は鶏卵収納容器３０の上面図である。図４のＸは鶏卵収納容器３０の長手方向を示し、Ｙは鶏卵収納容器３０の短手方向を示す。鶏卵収納容器３０は樹脂成型品の箱体であり、鶏卵収容部３０の上面には鶏卵Ｅを保持する保持面４１を有する（図５参照）。保持面４１は短手方向Ｙに並設された上段部４１ａと下段部４１ｂとを備える。上段部４１ａ及び下段部４１ｂは設置面に対して高さが異なり、上段部４１ａの方が下段部４１より高い位置にある。なお、鶏卵収納容器３０はドアポケット１４の奥側に上段部４１ａを配して手前側に下段部４１ｂを配して設置される。
【００２０】
上段部４１ａ及び下段部４１ｂの長手方向Ｘにはそれぞれ複数の孔部５１が並設されている。上段部４１ａには孔部５１が短手方向Ｙに２列配されて各列の長手方向Ｘに５個づつ設けられている。また、下段部４１ｂには孔部５１が長手方向Ｘに６個設けられている。各孔部５１に鶏卵Ｅを挿入して鶏卵Ｅを保持することができる。
【００２１】
上段部４１ａと下段部４１ｂとは垂直面４３により連接されている。また、下段部４１ｂの周縁には下方に起立する壁面４２が設けられている。壁面４２を設置面に当接させた状態において下段部４１ｂは設置面に対して所定の高さで支持される。また、上段部４１ａと下段部４１ｂとの境界の裏面には設置面に当接する支持リブ４５が突設されている。支持リブ４５は下段部４１ｂの孔部５１に対応した位置に下面を開放する切欠き部４５ａを有する。支持リブ４５は設置面と当接して下段部４１ｂを支持する。
【００２２】
また、下段部４１ｂの長手方向Ｙの中央部にはリブ４４が突出している。リブ４４の先端は上段部４１ａと同じ高さに位置する。上段部４１ａを表裏反転させて設置面に上段部４１ａを当接させたとき、リブ４４の先端も設置面に当接する。これにより、リブ４４が下段部４１ｂを支持して鶏卵収納容器３０が下段部４１ｂ側に傾斜するのを防ぐことができる（図６参照）。
【００２３】
また、上段部４１ａと下段部４１ｂとを連接する垂直面４３は平面視波形状に湾曲している。また、上段部４１ａの隣接する孔部５１の間に下段部４１ｂの孔部５１が配されている。これにより、上段部４１ａの孔部５１と下段部４１ｂの孔部５１とが近接して設けられている。したがって、鶏卵収納容器３０のＹ方向の幅を狭めることができ、省スペース化を図るとともに使用者は上段部４１ａに保持された鶏卵Ｅに手が届き易くなる。
【００２４】
下段部４１ｂの両側部は上段部４１ａの側方であって長手方向Ｙに延設する延設部４６を有する。延設部４６には小孔５２が複数開口しており、小孔５２は短手方向Ｙに並列している。小孔５２は孔部５１よりも小径であり、小孔５２にはチューブ容器入りのワサビやカラシ等の薬味を挿通させて保持することができる。
【００２５】
図５は鶏卵パックＰ及び鶏卵Ｅが載置された状態を示す鶏卵収納容器３０の側面図である。上段部４１ａには孔部５１が短手方向Ｙに２列配されて各列の長手方向Ｘに５個づつ設けられている。このため、上段部４１ａは市販されている１０個入り鶏卵パックＰが載置可能な寸法に形成されている。これにより、鶏卵Ｅを鶏卵パックＰに入れた状態で上段部４１ａに載置することができる。したがって、孔部５１への鶏卵Ｅの並べ難さなどが解消され、鶏卵Ｅを容易に出し入れすることができて便利に使用することができる。
【００２６】
図６、図７は上段部４１ａを表裏反転させた鶏卵収納容器３０の斜視図及び側面図である。上段部４１ａは設置面と当接して上段部４１ａの孔部５１に鶏卵Ｅを挿入して保持することはできない。一方、下段部４１ｂは垂直面４３の高さだけ設置面から上方に支持される。このため、下段部４１ｂの孔部５１には鶏卵Ｅを並べて保持することができる。
【００２７】
なお、上段部４１ａと下段部４１ｂとの境界の裏面には支持リブ４５が突設され、支持リブ４５には下段部４１ｂの孔部５１に対応する位置に切欠き部４５ａが設けられている。これにより、使用者は切欠き部４５ａから手指を通して下段部４１ａに載置された鶏卵Ｅを容易に取出すことができる。
【００２８】
また、上段部４１ａを表裏反転させて設置面と当接させた状態においても上段部４１ａに鶏卵パックＰを載置することができる。また、図８に示すように上段部４１ａに飲料用缶容器Ｃを載置することもできる。したがって、貯蔵する貯蔵物の形状に応じて鶏卵収納容器３０の載置状態を表裏に反転させて貯蔵物をドアポケット１４に効率よく収納することができる。
【００２９】
本実施形態によると、鶏卵収納容器３０の短手方向Ｙに上段部４１ａ及び下段部４１ｂが並設されているため、ドアポケット１４内の奥側に上段部４１ｂを配して手前側に下段部４１ｂを配すことにより、下段部４１ｂより高い位置にある上段部４１ａへ鶏卵Ｅを容易に出し入れすることができる。また、鶏卵収納容器３０を貯蔵室の開閉扉１３の背面に設けたドアポケット１４内に設置することにより、貯蔵する貯蔵物の形状に応じて鶏卵収納容器３０の載置状態を表裏に反転させて貯蔵物を効率よく収納することができる。
【００３０】
また、下段部４１ｂから突出して上段部４１ａと同じ高さに形成されるリブ４４を設けることにより、上段部４１ａを表裏反転させて上段部４１ａを設置面に当接させたときリブ４４の先端が設置面に当接する。これにより、リブ４４が下段部４１ｂを支持して鶏卵収納容器３０が設置面に安定して設置される。
【００３１】
また、上段部４１ａの隣接する孔部５１の間に下段部４１ｂの孔部５１が配されるとともに、上段部４１ａと下段部４１ｂとを連接する垂直面４３が平面視波形状に湾曲するため、上段部４１ａの孔部５１と下段部４１ｂの孔部５１が近接して設けられている。したがって、鶏卵収納容器３０のＹ方向の幅を狭めることができ、省スペース化を図るとともに上段部４１ａに保持された鶏卵Ｅを使用者が容易に取出すことができる。
【００３２】
また、上段部４１ａの孔部５１を短手方向Ｙに２列配するとともに各列の長手方向Ｘに５個づつ設け、下段部４１ｂの孔部５１を長手方向Ｘに６個設けることにより、上段部４１ａに市販されている１０個入り鶏卵パックＰを載置することができる。また、下段部４１ｂには市販されている６個入り鶏卵パックＰから鶏卵Ｅを取出して載置することができる。
【００３３】
また、下段部４１ｂが上段部４１ａの長手方向Ｘの側方に延設した延設部４６を有し、延設部４６に孔部５１よりも小径のチューブ容器入り薬味を挿通して立てる小孔５２を開口したことにより、小孔５２にはチューブ容器入りのワサビやカラシ等の薬味を立てた状態で収納することができる。これにより、チューブ容器を効率良く整然と収納できる。
【００３４】
また、上段部４１ａと下段部４１ｂとの境界の裏面には設置面に当接する支持リブ４５を突設することにより、支持リブ４５が下段部４１ｂを支持する。これにより、鶏卵収納容器３０を設置面により安定して設置することができる。また、支持リブ４５は下段部４１ｂの孔部５１に対応した位置に下面を開放した切欠き部４５ａを有するため、上段部４１を反転させて上段部４１と設置面を当接させたときに切欠き部４５ａに手指を通して下段部４１ｂに載置された鶏卵Ｅを容易に取出すことができる。
【産業上の利用可能性】
【００３５】
本発明によると、鶏卵収納容器を備えた冷蔵庫に利用することができる。
【符号の説明】
【００３６】
１                冷蔵庫
３                冷蔵室
４、６            冷凍室
５                製氷室
７                野菜室
１０              断熱箱体
１３              冷蔵室扉
１４              ドアポケット
３０              鶏卵収納容器
４１              保持面
４１ａ            上段部
４１ｂ            下段部
４２              壁面
４３              垂直面
４４              リブ
４５              支持リブ
４５ａ            切欠き部
４６              延設部
５１              孔部
Ｅ                鶏卵
Ｐ                鶏卵パック
Ｃ                飲料用缶容器
【図１】
0005270721.tif 000002
【図２】
0005270721.tif 000003
【図３】
0005270721.tif 000004
【図４】
0005270721.tif 000005
【図５】
0005270721.tif 000006
【図６】
0005270721.tif 000007
【図７】
0005270721.tif 000008
【図８】
0005270721.tif 000009
【図９】
0005270721.tif 000010